【手続補正書】
【提出日】平成27年4月14日(2015.4.14)
【手続補正１】
【補正対象書類名】特許請求の範囲
【補正対象項目名】全文
【補正方法】変更
【補正の内容】
【特許請求の範囲】
【請求項１】
１以上のネブライザーと１以上のターゲットとを含むイオン源であって、
前記１以上のネブライザーは一定期間にわたって１以上の液体クロマトグラフィー分離装置により放出される１種以上の溶離液を噴霧するように配置および適合され、
前記１種以上の溶離液は（ｉ）１〜１０μＬ／分、（ｉｉ）１０〜５０μＬ／分、（ｉｉｉ）５０〜１００μＬ／分、（ｉｖ）１００〜２００μＬ／分、（ｖ）２００〜３００μＬ／分、（ｖｉ）３００〜４００μＬ／分、（ｖｉｉ）４００〜５００μＬ／分、（ｖｉｉｉ）５００〜６００μＬ／分、（ｉｘ）６００〜７００μＬ／分、（ｘ）７００〜８００μＬ／分、（ｘｉ）８００〜９００μＬ／分、（ｘｉｉ）９００〜１０００μＬ／分、（ｘｉｉｉ）１０００〜１５００μＬ／分、（ｘｉｖ）１５００〜２０００μＬ／分、（ｘｖ）２０００〜２５００μＬ／分、および（ｘｖｉ）＞２５００μＬ／分からなる群から選択される液体流速を有し、
１以上のネブライザーは使用中に、主に前記１以上のターゲットに衝撃を与え、液滴をイオン化して複数のイオンを形成するようにされた前記液滴の流れを放出するように配置および適合され、
前記１以上のターゲットに対する前記液滴の平均軸衝撃速度は２０ｍ／ｓ以上であり、
前記１以上のターゲットは前記１以上のネブライザーの出口から１０ｍｍ未満に配置され、
前記１以上のターゲットは（ｉ）１以上のロッド、または（ｉｉ）テーパコーンを有する１以上のピンのいずれかを含む、イオン源。
【請求項２】
前記液滴が分析物液滴を含み、前記複数のイオンが分析物イオンを含む、請求項１に記載のイオン源。
【請求項３】
前記液滴が試薬液滴を含み、前記複数のイオンが試薬イオンを含む、請求項１に記載のイオン源。
【請求項４】
１種以上の分析物または他のガスを前記１以上のターゲットに隣接した領域に供給するように配置および適合された１以上のチューブをさらに含み、
任意選択で、前記試薬イオンが前記分析物ガスをイオン化して複数の分析物イオンを形成するように配置された、請求項３に記載のイオン源。
【請求項５】
分析物液体が前記１以上のターゲットに供給され、イオン化されて複数の分析物イオンを形成するならびに／あるいは試薬液体が前記１以上のターゲットに供給され、イオン化されて電荷を中性分析物原子もしくは分子に運び分析物イオンを形成するおよび／または分析物イオンの形成を強化する試薬イオンを形成し、
任意選択で、前記１以上のターゲットが１以上の開口部を含み、前記分析物液体および／または前記試薬液体が前記１以上のターゲットに直接供給され、前記１以上の開口部から出現する、請求項１から４のいずれか１項に記載のイオン源。
【請求項６】
前記１以上のターゲットが１種以上の液体、固体またはゼラチン状分析物でコーティングされ、前記１種以上の分析物がイオン化されて複数の分析物イオンを形成する、又は、
前記１以上のターゲットが１種以上の分析物から形成され、前記１種以上の分析物がイオン化されて複数の分析物イオンを形成する、請求項３に記載のイオン源。
【請求項７】
前記１以上のネブライザーから放出された前記液滴の流れが１以上のターゲットに衝撃を与えた後に二次液滴の流れを形成し、
任意選択で、前記液滴の流れおよび／または前記二次液滴の流れが（ｉ）＜２０００、（ｉｉ）２０００〜２５００、（ｉｉｉ）２５００〜３０００、（ｉｖ）３０００〜３５００、（ｖ）３５００〜４０００、または（ｖｉ）＞４０００の範囲のレイノルズ数（Ｒｅ）を有する流れ領域を横切る、請求項１から６のいずれか１項に記載のイオン源。
【請求項８】
前記１以上のネブライザーが使用中に前記液滴の流れを放出する出口を有する第１のキャピラリーチューブを含み、
任意選択で、
（ｉ）前記第１のキャピラリーチューブが、ガス流を前記第１のキャピラリーチューブの出口に供給するように配置および適合された第２のキャピラリーチューブに囲まれる、または
（ｉｉ）第２のキャピラリーチューブが、ガスのクロスフロー流を前記第１のキャピラリーチューブの出口に供給するように配置および適合される、請求項１から７のいずれか１項に記載のイオン源。
【請求項９】
１種以上の加熱ガス流を前記１以上のネブライザーの出口に供給するように配置および適合された１以上のヒーターをさらに含み、
任意選択で、
（ｉ）前記１以上のヒーターが前記第１のキャピラリーチューブを囲み、加熱ガス流を前記第１のキャピラリーチューブの出口に供給するように配置および適合される、および／または
（ｉｉ）前記１以上のヒーターが１以上の赤外線ヒーターを含む、および／または
（ｉｉｉ）前記１以上のヒーターが１以上の燃焼式ヒーターを含む、請求項１から８のいずれか１項に記載のイオン源。
【請求項１０】
前記１以上のターゲットを直接的におよび／または間接的に加熱するよう配置および適合された１以上の加熱装置をさらに含む、請求項１から９のいずれか１項に記載のイオン源。
【請求項１１】
運転モード中、前記１以上のターゲットが正電位に維持され、前記１以上のターゲットに衝撃を与える前記液滴が複数の正に帯電したイオンを形成する、及び／又は、
運転モード中、前記１以上のターゲットが負電位に維持され、前記１以上のターゲットに衝撃を与える前記液滴が複数の負に帯電したイオンを形成する、請求項１から１０のいずれか１項に記載のイオン源。
【請求項１２】
前記１以上のターゲットが、複数のターゲット要素を含み、結果として前記１以上のネブライザーからの液滴が複数のターゲット要素上に落ちる、および／または前記ターゲットが多数の衝撃点を有するように配置され、結果として液滴が多数のそれた偏向によりイオン化される、請求項１から１１のいずれか１項に記載のイオン源。
【請求項１３】
請求項１から１２のいずれか１項に記載のイオン源を含む質量分析計。
【請求項１４】
一定期間にわたって１以上の液体クロマトグラフィー分離装置により放出される１種以上の溶離液を噴霧するステップと、
主に液滴の流れに、前記１以上のターゲットに衝撃を与え、前記液滴をイオン化して複数のイオンを形成させるステップと、
を含む試料をイオン化する方法であって、
前記１種以上の溶離液は（ｉ）１〜１０μＬ／分、（ｉｉ）１０〜５０μＬ／分、（ｉｉｉ）５０〜１００μＬ／分、（ｉｖ）１００〜２００μＬ／分、（ｖ）２００〜３００μＬ／分、（ｖｉ）３００〜４００μＬ／分、（ｖｉｉ）４００〜５００μＬ／分、（ｖｉｉｉ）５００〜６００μＬ／分、（ｉｘ）６００〜７００μＬ／分、（ｘ）７００〜８００μＬ／分、（ｘｉ）８００〜９００μＬ／分、（ｘｉｉ）９００〜１０００μＬ／分、（ｘｉｉｉ）１０００〜１５００μＬ／分、（ｘｉｖ）１５００〜２０００μＬ／分、（ｘｖ）２０００〜２５００μＬ／分、および（ｘｖｉ）＞２５００μＬ／分からなる群から選択される液体流速を有し、
前記１以上のターゲットに対する前記液滴の平均軸衝撃速度は２０ｍ／ｓ以上であり、
前記流れは１以上のネブライザーにより放出され、前記１以上のターゲットは前記１以上のネブライザーの出口から１０ｍｍ未満に配置され、
前記１以上のターゲットは（ｉ）１以上のロッド、または（ｉｉ）テーパコーンを有する１以上のピンのいずれかを含む、方法。
【請求項１５】
請求項１４に記載のイオンをイオン化する方法を含む質量分析の方法。